(57)【特許請求の範囲】
【請求項１】
ランプホルダへの接続のための接続端部及び光を放出するための光放出端部を有する照明モジュールであって、
前記照明モジュールは、前記光放出端部において、前記照明モジュールの長手方向軸に平行な方向に延びる第１及び第２の突出部を有する、機械的インタフェースを備え、
前記第１及び第２の突出部は、同一の機械的インタフェースを備える装置が前記照明モジュールを着脱するためのツールとして使用され得るように、前記照明モジュールへの回転力及び引っ張り力の少なくとも一方を伝達するように、前記同一の機械的インタフェースの対応する突出部とかみ合うように構成される、
照明モジュール。
【請求項２】
前記第１及び第２の突出部は、前記照明モジュールの前記長手方向軸周りの前記機械的インタフェース間の相対回転の後、前記同一の機械的インタフェースの前記対応する突出部とかみ合うように構成される、
請求項１に記載の照明モジュール。
【請求項３】
前記第１及び第２の突出部は、前記第１及び第２の突出部が前記同一の機械的インタフェースの前記対応する突出部とかみ合わされるときに、前記照明モジュールの前記長手方向軸と平行な方向での前記機械的インタフェース間の相対移動が防止されるように構成される、
請求項１又は２に記載の照明モジュール。
【請求項４】
前記第１及び第２の突出部が前記同一の機械的インタフェースの前記対応する突出部とかみ合わされるときに前記照明モジュールの前記長手方向軸と平行な方向での前記機械的インタフェース間の相対移動を防ぐ首部を、前記第１の突出部と前記第２の突出部との間に形成された中間凹所が有するように、前記第１及び第２の突出部は先細にされる、
請求項１乃至３のいずれか１項に記載の照明モジュール。
【請求項５】
前記同一の機械的インタフェースの前記対応する突出部が、前記照明モジュールの前記長手方向軸と平行な方向に前記中間凹所の前記首部を通過することを可能にするほど、前記中間凹所の前記首部は十分広い、
請求項４に記載の照明モジュール。
【請求項６】
前記突出部は、前記照明モジュールの外周に沿って配置される、
請求項１乃至５のいずれか１項に記載の照明モジュール。
【請求項７】
前記照明モジュールは、筒形であり、前記突出部は前記筒形の照明モジュールの壁の延長である、
請求項１乃至６のいずれか１項に記載の照明モジュール。
【請求項８】
前記照明モジュールは、円筒形である、
請求項７に記載の照明モジュール。
【請求項９】
複数の請求項１乃至８のいずれか１項に記載の照明モジュールを有する１組の照明モジュールであって、
前記１組の照明モジュールの第１の照明モジュールは、前記１組の照明モジュールの第２の照明モジュールを着脱するためのツールとして使用され得る、
１組の照明モジュール。
【請求項１０】
請求項１乃至８のいずれか１項に記載の照明モジュール；及び
前記照明モジュールを受けるためのランプホルダ；を有する、
照明器具。
【発明の詳細な説明】
【技術分野】
【０００１】
本発明は、ランプホルダに接続可能な照明モジュールに関する。本発明はまた、照明モジュール等を有する照明器具に関する。
【背景技術】
【０００２】
照明器具等、多くの照明システムは、システムの寿命を延ばす及び／又は照明特性の変更を可能にするために、交換可能な照明モジュールを利用する。照明器具は、典型的には、照明モジュールが接続可能なランプホルダを含む。照明モジュールとランプホルダとの間の接続は、例えば、プラグインカップリング、ネジカップリング、照明モジュールの接続端部が照明モジュールの長手方向軸と平行な方向に沿ってランプホルダ内に挿入され、次にバヨネットカップリングの２つのカップリング部品がかみ合うまでねじられるバヨネットカップリングとして、実現され得る。しかし、かなりの空間が、照明モジュールをランプホルダに手で着脱可能にするために、照明モジュールの周りに必要である。例えば、典型的な照明器具では、照明モジュールの周りの半径方向に、最小１５ｍｍ、好ましくは２５ｍｍが、指で照明モジュールを掴むために必要である。リフレクタの直径は、この値の少なくとも２倍になり、これは照明器具の設計的側面を制限する。また、指をリフレクタの内部に持っていくことは、リフレクタを汚くなるリスクにさらし、効率及び外観を損なう。
【０００３】
特許文献１は、比較的到達し難い領域からランプバルブを挿入する及び引き抜くためのツールを開示する。
特許文献２は、バヨネットベース部を持つリフレクタランプを備える照明器具を開示する。このリフレクタランプは、リフレクタランプをソケットに着脱するための独立したツールに対応するために、光出口側に切り込み部を備える。しかし、このようなツールは、置き違えられ得る、無くされ得る、及び、照明モジュールに加えて供給される必要があるので、システムのコスト及びユーザへの不便さを増大させる。したがって、照明モジュールが比較的到達し難い領域のランプホルダに着脱されることを可能にする便利且つコスト効率の良い解決方法に対する要望がある。
【先行技術文献】
【特許文献】
【０００４】
【特許文献１】米国特許第４，００６，６５３号
【特許文献２】米国特許第４，８７２，０９７号
【発明の概要】
【発明が解決しようとする課題】
【０００５】
本発明の目的は、この問題を克服すること、及び照明モジュールが比較的到達し難い領域のランプホルダに着脱されることを可能にする便利且つコスト効率の良い解決方法を提供することである。
【課題を解決するための手段】
【０００６】
本発明のある態様によれば、この目的及び他の目的は、照明モジュールによって達成され、この照明モジュールは、ランプホルダへの接続のための接続端部、及び光を放出するための光放出端部を有し、照明モジュールは、光放出端部において、照明モジュールの長手方向軸に平行な方向に延び、照明モジュールへの回転力及び引っ張り力の少なくとも一方を伝達するように、同一の機械的インタフェースの対応する突出部と相互作用するように構成された第１及び第２の突出部を有する、機械的インタフェースを備えるので、同一の機械的インタフェースを備える装置が照明モジュールを着脱するためのツールとして使用されることができる。
【０００７】
本発明は、回転力又は引っ張り力を伝達するために、同一の機械的インタフェースの対応する突出部と相互作用するように構成された第１及び第２の突出部を持つ機械的インタフェースを有する照明モジュールを提供することによって、１つの照明モジュールを、ランプホルダから他の照明モジュールを着脱するためのツールとして利用することができるという理解に基づく。したがって、ある人が古い照明モジュールを新しいモジュールに交換しようとするとき、新しい照明モジュールは、古い照明モジュールをランプホルダから取り外すためのツールとして使用され得る。古い照明モジュールは次に、新しい照明モジュールをランプホルダに接続するためのツールとして利用され得る。これは、別のツールが必要とされないことを意味する。さらに、ランプホルダに接続された照明モジュールは、手でつかまれないので、照明モジュールの周りの空間を減少させることができ、照明器具の設計においてより大きい自由度を許容する。
【０００８】
第１及び第２の突出部は、照明モジュールの長手方向軸周りの機械的インタフェース間の相対回転の後、同一の機械的インタフェースの対応する突出部とかみ合うように構成され得る。
【０００９】
さらに、第１及び第２の突出部は、第１及び第２の突出部が同一の機械的インタフェースの対応する突出部とかみ合わされるときに、照明モジュールの長手方向軸と平行な方向での機械的インタフェース間の相対移動が防止されるように構成され得る。利点は、照明モジュールがランプホルダにねじり運動によって着脱されるので、照明モジュールが互いに向かって押されていなくても、２つの相互作用する機械的インタフェースはかみ合ったままであるということである。他の利点は、（照明モジュールの長手方向軸と平行な）引っ張り力が１つの照明モジュールが他の照明モジュールをランプホルダから引き出すために使用できるように、機械的インタフェースの間に伝達され得ることである。これは、例えばプラグインソケットが使用される場合、便利であり得る。
【００１０】
第１及び第２の突出部は、第１及び第２の突出部の間に形成された中間凹所が、第１及び第２の突出部が同一の機械的インタフェースの対応する突出部とかみ合わされるときに、照明モジュールの長手方向軸と平行な方向での機械的インタフェース間の相対移動を防ぐ、首部を有するように、先細にされ得る。
【００１１】
中間凹所の首部は好ましくは、同一の機械的インタフェースの対応する突出部が、照明モジュールの長手方向軸と平行な方向に首部を通過することを可能にするほど十分広くなり得る。したがって、機械的インタフェースは、機械的インタフェースが互いに対して終端位置に回転された後に結合され得るが、中間位置において取り外し可能であり得る。
【００１２】
突出部は好ましくは、照明モジュールの外周に沿って配置され得る。利点は、光放出窓に対する突出部の干渉が最小限にされ得ることである。
【００１３】
実施形態によれば、照明モジュールは、筒形であり得るとともに、突出部は、筒形の照明モジュールの壁の延長であり得る。好ましくは、照明モジュールは、円筒形であり得るが、筒はまた、例えば長方形又は六角形の底面を持つ筒等、他の形状を有し得る。
【００１４】
さらに、本発明による照明モジュールは、複数の本発明による照明モジュールを有する１組の照明モジュールを有利に含むことができ、１組の照明モジュールの第１の照明モジュールは、１組の照明モジュールの第２の照明モジュールを着脱するためのツールとして使用され得る。
【００１５】
さらに、本発明による照明モジュールは、照明モジュールを受けるためのランプホルダをさらに有する、照明器具等、照明システムに有利に含まれ得る。
【００１６】
本発明が、特許請求の範囲に示された特徴の全ての可能な組合せに関連することに留意されたい。
【００１７】
本発明のこの態様及び他の態様が、本発明の実施形態を示す添付の図面を参照して、より詳細に記載される。
【図面の簡単な説明】
【００１８】
【図１】図１は、本発明の実施形態による照明モジュールを概略的に示す斜視図である。
【図２ａ】図２ａは、照明器具に設置された照明モジュールの交換を概略的に示す。
【図２ｂ】図２ｂは、照明器具に設置された照明モジュールの交換を概略的に示す。
【図２ｃ】図２ｃは、照明器具に設置された照明モジュールの交換を概略的に示す。
【図２ｄ】図２ｄは、照明器具に設置された照明モジュールの交換を概略的に示す。
【図２ｅ】図２ｅは、照明器具に設置された照明モジュールの交換を概略的に示す。
【図３】図３は、照明モジュールの代替実施形態を概略的に示す斜視図である。
【発明を実施するための形態】
【００１９】
図１は、ランプホルダ３への接続のための接続端部２、及び光を放出するための光放出端部４を有する、照明モジュール１を概略的に示す。ランプホルダ３は、任意選択でヒートシンク１２に取付けられ得る。照明モジュール１は、１つ又は複数の発光ダイオード（ＬＥＤ）等、光源（図示せず）を収容するハウジングを含む。ハウジングはここでは、底面５ａ、上面５ｂ、及び底面５ａと上面５ｂとの間に延びる壁部５ｃ（すなわち、筒の外面）を有する円筒ハウジングである。図示された実施形態では、上面５ｂは、光源から放射された光が照明モジュールから出られるように構成された光放出窓を含む。光放出窓は、例えば、ガラス、プラスチック又は他の適切な光学的に透明な材料で作られた円板又はレンズであり得る。
【００２０】
光放出端部４において、照明モジュール１は、照明モジュールの長手方向軸１３に平行な方向に延びる第１の突出部６及び第２の突出部７を有する機械的インタフェースを備える。ここでは、突出部６、７は、ハウジングの壁部５ｃが局所的に上面５ｂを越えて延びるように、ハウジングの壁部５ｃを設計することによって、形成される。したがって、突出部６、７は、強い構造を作るように、ハウジングの壁部５ｃの一体部分として形成され得る。例えば、突出部６、７を持つハウジングの壁部５ｃは、単一の部品に射出成形され得る。
【００２１】
突出部（すなわち、照明モジュールの長手方向軸１３に平行な方向の延長部）の高さは、多様であり得るが、好ましくは１０ｍｍより少ない、より好ましくは７ｍｍより少ない、最も好ましくは４ｍｍより少ない。低い突出部の利点は、それらがブロックする光が少ないことである。ここでは、突出部は３ｍｍの高さを有する。
【００２２】
さらに、突出部の幅は多様であり得る。ここでは、各突出部は全外周の９０°をわずかに下回って及ぶが、各突出部の幅は、実質的により小さくなり得る。例えば、各突出部が全外周の約１０°に及ぶ、又はさらに小さいインタフェースも可能である。
【００２３】
第１及び第２の突出部６、７は好ましくは、第１及び第２の突出部６、７の間に形成された中間凹所８、９のそれぞれが、首部を有するように、先細にされる。首部は、第２の照明モジュール１’の同一の機械的インタフェースの対応する突出部６’，７’が、照明モジュールの長手方向軸１３と平行な方向に首部を通過することを可能にするほど十分広い。しかし、照明モジュールの長手方向軸１３周りの照明モジュール１、１’の間の相対回転の後、突出部６、７のそれぞれは、照明モジュールの長手方向軸１３に平行な方向への機械的インタフェース間の相対移動を防ぐために、第２の照明モジュール１’の同一の機械的インタフェースの対応する突出部６’，７’の一方の横方向側部６’ａ−ｂ、７’ａ−ｂとかみ合わされる横方向側部６ａ−ｂ、７ａ−ｂを有する。突出部６，７の横方向側部６ａ−ｂ、７ａ−ｂは、くさび形を形成するが、他の形も有し得る。例えば、図３に示されるように、突出部の各横方向側部は、照明モジュールの長手方向軸に平行な方向への機械的インタフェース間の相対移動を防ぐことができる、突起部１５を有し得る。図３に示された機械的インタフェースは、１つの照明モジュールがプラグインソケットから他の照明モジュールを引き出すために使用されるとき等、（照明モジュールの長手方向軸に平行な）かなりの引っ張り力が、機械的インタフェースの間に伝達されなければならないとき、好ましくなり得る。図２ａ−ｅは、照明器具１０に設置された照明モジュール１の取り外しを概略的に示す。図示された照明器具１０は、照明モジュール１の接続端部を受けるためのランプホルダ３、及び照明モジュール１によって放出された光を反射するためのリフレクタ１１を含む。ランプホルダと照明モジュールとの間の接続が様々な方法で達成され得ることに留意されたい。例えば、接続は、プラグインカップリング、ネジカップリング、又はバヨネットカップリングであり得る。しかし、ここでは、接続がバヨネットカップリングによって達成されると考えられる。
【００２４】
ある人が古い照明モジュール１（すなわち、現在設置されている照明モジュール）を、他の照明モジュール１’（新しい照明モジュールとも称される）に交換しようとするとき、その人は、新しい照明モジュール１’を、古い照明モジュール１をランプホルダ３から取り外すために利用し得る。これを行うために、その人は、新しい照明モジュール１’をつかみ、新しい照明モジュール１’の機械的インタフェースを古い照明モジュール１の機械的インタフェースにかみ合わせるようにリフレクタ１１内に手を伸ばす。このかみ合いは、新しい照明モジュール１’の突出部６’、７’を古い照明モジュール１の中間凹所８、９に挿入し、次に新しい照明モジュール１’を（ここでは反時計周りに）回転させることによって、達成される。これは、図２ｃに示されるように、新しい照明モジュールの各突出部６’、７’の横方向側部が古い照明モジュールの突出部６、７の横方向側部に当接する、終端位置に達するまでの、照明モジュールの長手方向軸１３周りの機械的インタフェース間の相対回転をもたらす。図１及び図２に示された照明モジュールに関して、これは、新しい照明モジュール１’が反時計周りに回転されたとき、横方向側部６’ｂが横方向側部７ｂに当接し、横方向側部７’ｂが横方向側部６ｂに当接することを意味する。その人が新しい照明モジュール１’を手でさらにねじると、回転力が新しい照明モジュール１’から古い照明モジュール１に突出部を介して伝達されるので、古い照明モジュール１はランプホルダ３に対して回転されバヨネットカップリングから外される。突出部のくさび形横方向側部６’ａ−ｂ、７’ａ−ｂが、強制的に機械的インタフェースを結合させ、ねじり中の機械的インタフェース間のグリップを増加させることに留意されたい。したがって、回転中に照明モジュールを互いに押し付けることは必要ではない。
【００２５】
同様に、その人は、新しい照明モジュール１’をランプホルダ３に、古い照明モジュール１をつかむことによって接続することができる。新しい照明モジュール１’を古い照明モジュール１の上に、古い照明モジュールの突出部６、７が、機械的インタフェースがかみ合うように、新しい照明モジュール１’の中間凹所８’、９’に挿入されるように、置く。次に、古い照明モジュール１を手で持ち、ランプホルダ３内に新しい照明モジュール１’の接続端部２’を挿入し、古い照明モジュール１を時計回りにねじる。それによって、回転力が、古い照明モジュール１から新しい照明モジュール１’に突出部を介して伝達されるので、新しい照明モジュール１’は、ランプホルダ３に対して回転され、バヨネットカップリングに接続される。
【００２６】
当業者は、本発明が上述の好適な実施形態に決して限定されないことを理解する。それどころか、多くの修正及び変更が、添付の特許請求の範囲の範囲内で可能である。例えば、各照明モジュールの機械的インタフェースは、２つより多い突出部を有し得る。原理的に、この数に制限は無いが、ある時点で、突出部が小さすぎて役立たなくなるであろう。
【図１】
0005918761.tif 000002
【図２ａ】
0005918761.tif 000003
【図２ｂ】
0005918761.tif 000004
【図２ｃ】
0005918761.tif 000005
【図２ｄ】
0005918761.tif 000006
【図２ｅ】
0005918761.tif 000007
【図３】
0005918761.tif 000008